(57)【特許請求の範囲】
【請求項１】
持ち運び可能であって任意の場所に設置可能である複数の重量測定装置と、それぞれの重量測定装置と別体に構成されている携帯端末装置とを備える物体数計測システムであり、
それぞれの重量測定装置は、
物体を支持する手段と、
支持されている物体の重量を測定する手段と、
自己を特定するＩＤを記憶しているＩＤ記憶手段と、
携帯端末装置からの信号を無線通信を利用して入力する手段と、
携帯端末装置からの信号が入力された場合に、測定された重量とＩＤとを対応づけた重量−ＩＤ情報を無線通信を利用して出力する手段とを有し、
携帯端末装置は、
ユーザによって所定の操作が加えられた場合に、無線通信を利用して信号を出力する手段と、
それぞれの重量測定装置について、当該重量測定装置のＩＤと、当該重量測定装置に支持されている物体種類の単位重量とを対応づけて記憶するＩＤ−単位重量記憶手段と、
それぞれの重量測定装置から出力された重量−ＩＤ情報を無線通信を利用して入力する重量−ＩＤ情報入力手段と、
入力されたＩＤからＩＤ−単位重量記憶手段を検索して単位重量を特定する単位重量特定手段と、
入力された重量を特定された単位重量で除して物体数を算出する手段と、
算出された物体数を表示する表示手段とを有する
ことを特徴とする物体数計測システム。
【請求項２】
それぞれの重量測定装置は、測定される重量が変化したときの時間を記憶する時間記憶手段をさらに有することを特徴とする請求項１に記載の物体数計測システム。
【請求項３】
前記ＩＤ−単位重量記憶手段は、それぞれの重量測定装置について、当該重量測定装置のＩＤと、当該重量測定装置に支持されている物体種類と、当該物体種類の単位重量とを対応づけて記憶し、
前記単位重量特定手段は、入力されたＩＤからＩＤ−単位重量記憶手段を検索して物体種類と単位重量を特定し、
前記表示手段は、特定された物体種類と算出された物体数を表示することを特徴とする請求項１又は２の物体数計測システム。
【発明の詳細な説明】
【０００１】
【発明の属する技術分野】
本発明は、重量測定装置を使用する物体数計測システムに関する。
【０００２】
【従来の技術】
特開平８−０５５１６６号公報に、本発明の重量測定装置に関連する陳列棚コントローラを使用した在庫管理システムが記載されている。この在庫管理システムは、複数の陳列棚コントローラとターミナルコントローラから構成されている。このシステムでは、陳列棚コントローラ毎に異なる物体が載置され、一つの陳列棚コントローラには同一の物体が複数載置される。各陳列棚コントローラは、載置された複数の物体の総重量を測定する手段と演算制御部と記憶部と表示部とを備えている。記憶部には、載置される物体の単位重量（一つ当りの重量）が記憶されている。演算制御部は、測定手段で測定された重量を単位重量で除して載置されている物体の数を算出する。表示部では、載置されている物体の名前と物体数が対応づけて表示される。また陳列棚コントローラは、載置されている物体の名前と物体数とを対応づけてターミナルコントローラに出力する。ターミナルコントローラは、各陳列棚コントローラから出力された情報を入力して管理する。
【０００３】
【発明が解決しようとする課題】
上記の陳列棚コントローラは、載置されている物体の数を管理することのみに使用されるものであり、その用途が限定されている。
【０００４】
本発明は、上述した実情に鑑みてなされたものであり、幅広く用いられることができる重量測定装置を提供することを目的とする。そして、この重量測定装置を使用した物体数計測システムを提供する。
【０００５】
【課題を解決するための手段と作用と効果】
上記課題を解決するために創作された重量測定装置は、物体を支持する手段と、支持されている物体の重量を測定する手段と、自己を特定するＩＤを記憶しているＩＤ記憶手段と、測定された重量とＩＤとを対応づけた情報を出力する手段とを備える。
出力された情報を管理する者は、例えば重量測定装置のＩＤと重量測定装置が設置される場所とを予め対応づけておく。これにより、どれだけの重量の物体がどの場所にあるかを把握することができる。また、例えば重量測定装置のＩＤとその重量測定装置で支持される物体の名前を対応づけておく。これにより、どの物体がどれだけの重量であるかが把握できる。また、重量測定装置で同一の物体のみを複数支持するようにし、重量測定装置のＩＤと支持されている物体の単位重量（物体一つ当りの重量）とを予め対応づけておく。このようにすると、出力された重量を単位重量で除することにより物体の数を把握できる。この重量測定装置は、アプリケーションが多様にあり、幅広く用いられることができる。本発明の重量測定装置は利用価値が極めて高い。
【０００６】
上記の重量測定装置は、重量とＩＤとを対応づけた情報を無線信号によって出力することが好ましい。
このように無線信号によって出力するようにすると、設置場所の制限をあまり受けなくなるために、利用価値がより高い重量測定装置を提供できる。
【０００７】
上記の重量測定装置は、測定される重量が変化したときの時間を記憶する時間記憶手段をさらに付加した構成にすることが好ましい。
時間記憶手段の記憶内容を参照することで、重量測定装置に物体が支持されたときの時間又は支持されている物体が取り除かれた時間を判断することができる。特に、支持されている物体が取り除かれた時間を特定できるようにして記憶すると（例えば取り除かれた時間のみを記憶するようにする）、支持されている物体が盗難された場合に、その時間がわかる。さらに、測定される重量の変化量や、変化前の重量と変化後の重量等を時間に対応づけて記憶するようにすると、どの時間にどれだけの重量が重量測定装置に支持されたのか（あるいは取り除かれたのか）を判断することもできる。より利用価値の高い重量測定装置を提供することができる。
【０００８】
また本発明では、同一の物体種類からなる物体群が物体種類毎に複数ある場合に、物体群毎の物体数を計測するシステムを提供する。このシステムは、上述の重量測定装置を複数備えるとともに管理装置を備える。複数の重量測定装置は、それぞれに物体群を支持する。管理装置は、重量測定装置のＩＤと、その重量測定装置に支持されている物体種類の単位重量とを対応づけて記憶しているＩＤ−単位重量記憶手段と、重量測定装置から出力された重量とＩＤとを対応づけた情報を入力する手段と、入力されたＩＤからＩＤ−単位重量記憶手段を検索して単位重量を特定する手段と、入力された重量を特定された単位重量で除して物体数を算出する手段と、入力されたＩＤと算出された物体数とを対応づけて記憶しているＩＤ−物体数記憶手段とを有する。
重量測定装置で測定され出力される「重量」は、重量として変換できる情報を全て含む。また「ＩＤ」は、データ上様々な形式に変換されていっても良い。例えば管理装置は、重量測定装置から出力されたＩＤをその重量測定装置に支持されている物体種類の種類名等に変換し、その種類名と物体数とを対応づけて記憶するようにしても良い。
管理装置では、各重量測定装置で支持されている物体数がその重量測定装置のＩＤに対応づけて記憶される。例えば、３つの重量測定装置（ここでは仮にＸ，Ｙ，Ｚとする）を用いて本システムが構築されている場合であって、Ｘでは物体種類Ａが支持され、Ｙでは物体種類Ｂが支持され、Ｚでは物体種類Ｃが支持されているとする。この場合、管理装置では、Ｘで支持されている物体種類Ａの数と、Ｙで支持されている物体種類Ｂの数と、Ｚで支持されている物体種類Ｃの数とがそれぞれの重量測定装置のＩＤに対応づけて記憶される。物体群毎の物体数を正確に管理できる。
また例えば、Ｘでは物体種類Ａが支持され、Ｙでも物体種類Ａが支持され、Ｚでは物体種類Ｃが支持されているとする。この場合、Ｘで支持されている物体種類Ａの数がＸのＩＤに対応づけて記憶され、Ｙで支持されている物体種類Ａの数がＹのＩＤに対応づけて記憶されることになる。ＸのＩＤに対応づけられた物体数とＹのＩＤに対応づけられた物体数とを加算することによって、物体種類Ａの総数を求めることもできる。なおこの場合、ＸのＩＤとＹのＩＤとを同じＩＤにしても良い。
【０００９】
このシステムを構築することによって、物体群毎の物体数を容易に管理することができる。上記した従来の在庫管理システムでは、陳列棚コントローラ毎に物体数を算出する制御部や記憶部を設ける必要がある。本発明に係る物体数計測システムは、物体数を算出するための手段を管理装置にのみ備えれば良いために、システムをより簡単に構築することができる。また、従来の在庫管理システムを構築するためには、棚自体がコントローラになっているために既存の棚をそのまま使用することが困難である。本発明に係る物体数計測システムでは、重量測定装置を設置すれば既存の棚をそのまま使用することが可能である。このため、容易にシステムを構築することができる。
また、物体毎にバーコートやＲＦＩＤタグ等を付して物体数を管理するシステムが近年よく実施されているが、物体毎にバーコートやＲＦＩＤタグ等を付する作業は大変である。本発明に係るシステムでは、このような面倒な作業が不要である。
【００１０】
また上記のシステムを変形させた以下のシステムを構築する。そのシステムは、同一の物体種類からなる物体群が物体種類毎に複数ある場合に、物体群毎の物体数を計測するシステムである。このシステムは、それぞれに物体群を支持する上述の重量測定装置を複数備えるとともに管理装置を備える。そして、管理装置は、重量測定装置のＩＤと、その重量測定装置に支持されている物体種類と、その物体種類の単位重量とを対応づけて記憶しているＩＤ−物体種類−単位重量記憶手段と、重量測定装置から出力された重量とＩＤとを対応づけた情報を入力する手段と、入力されたＩＤからＩＤ−物体種類−単位重量記憶手段を検索して物体種類と単位重量を特定する手段と、入力された重量を特定された単位重量で除して物体数を算出する手段と、特定された物体種類と算出された物体数とを対応づけて記憶している物体種類−物体数記憶手段とを有する。
ここでの「物体種類」とは、例えば物体種類名である。この場合、物体種類−物体数記憶手段では、物体種類名に対応づけて物体数が記憶されることになる。記憶内容を参照することにより、物体種類名とその数が容易に把握できる。なおＩＤ−物体種類−単位重量記憶手段は、ＩＤ−物体種類記憶手段とＩＤ−単位重量記憶手段の２つの記憶手段で構成されても良い。またＩＤ−物体種類記憶手段と物体種類−単位重量記憶手段とで構成されても良いし、ＩＤ−単位重量記憶手段と物体種類−単位重量記憶手段とで構成されても良い。即ち、入力されたＩＤから物体種類と単位重量とが特定できる構成であればどのような構成にしても良い。
【００１１】
上記のシステムにおいて、重量測定装置から出力された重量とＩＤとを対応づけた情報を入力して管理装置に転送する端末装置をさらに備えるようにしても良い。
【００１２】
また、管理装置及び／又は端末装置が携帯型であることが好ましい。
このようにすると、管理装置や端末装置を持ち運びながら物体群毎の物体数を管理することができる。
【００１３】
管理装置は、ＩＤ−物体数記憶手段又は物体種類−物体数記憶手段の記憶内容を表示する手段をさらに付加した構成にすることが好ましい。
物体群を管理する者は、表示を見ることによって不足している（又は余っている）物体種類を把握することができる。物体の過不足等に対して素早い対応ができる。
【００１４】
【発明の実施の形態】
各請求項に記載の発明は次の形態で好適に実施される。
（形態１）重量測定装置は、ピエゾ抵抗素子を用いて重量を測定する。ピエゾ抵抗素子は、物体が支持されることに起因して圧力が加えられると抵抗値が変化する。抵抗値が変化することを利用して重量を測定できる。重量測定装置には、ピエゾ抵抗素子の抵抗値と重量とを対応づけて記憶しておくようにする。この場合、抵抗値を重量に換算してから出力する。あるいは重量測定装置は、ピエゾ抵抗素子の抵抗値をそのまま出力するようにしても良い。この場合、出力された情報を入力して管理する装置は、抵抗値から重量を導き出すようにしても良い。
（形態２）重量測定装置は、いわゆるＲＦＩＤ（Ｒａｄｉｏ  Ｆｒｅｑｕｅｎｃｙ−ＩＤｅｎｔｉｆｉｃａｔｉｏｎ)を利用する。
（形態３）重量測定装置のＩＤには、数字やアルファベットや記号等の様々な形式のものを採用できる。
（形態４）重量測定装置は、小型（例えばコイン程度の大きさ）のものから大型のものまで用途に応じて大きさは自由である。例えば小型のものを複数組合せて一つの重量測定装置を構成することも可能である。この場合、小型のものであっても大きな物体や複数の物体を支持することができるようになる。
（形態５）重量測定装置は、持ち運び可能であることが好ましい。簡単に持ち運べるような構成にすると、重量測定装置を設置する際や設置場所を変更する際に非常に便利である。
（形態６）物体数計測システムは、パチンコやスロットマシン等を備える遊技場の景品カウンターにおいて景品数を管理するシステムとして好適に実施される。他にも、複数の物体を複数扱うデパート、商店等でも実施できる。
【００１５】
【実施例】
図面を参照して、本発明に係る重量測定装置を使用した物体数計測システムの実施例を説明する。以下では、本発明の物体数計測システムがパチンコ店で実施された例を説明する。この実施例では、パチンコ店の景品交換カウンターにおける景品数を計測して管理する。
（第１実施例）図１は、パチンコ店１０の概略図を示す。遊技者は、パチンコ台１２で獲得したパチンコ玉を計数器１４に流し込む。計数器１４からは、流し込まれた玉数が記載された紙や玉数を記憶したカードが排出される。遊技者は、その紙やカードを景品交換カウンター３０に持ち込む。遊技者は、景品交換カウンター３０で玉数に応じた景品を得ることをができる。
パチンコ店１０では、景品数計測システム２０が構築されている。景品数計測システム２０は、景品交換カウンター３０で実施されている。
【００１６】
景品交換カウンター３０には、複数種類の景品Ａ，Ｂ，Ｃがそれぞれ複数保管されている。景品交換カウンター３０は、複数の重量測定装置３２，３４，３６を備える。重量測定装置３２等は、景品の置き台として機能している。重量測定装置３２には、景品Ａのみが複数載置されている。重量測定装置３４には、景品Ｂのみが複数載置されている。重量測定装置３６には、景品Ｃのみが複数載置されている。重量測定装置３２，３４，３６毎に、載置される景品が異なっている。景品Ａの１個当りの重量（単位重量）は１０ｇである。また景品Ｂの単位重量は２５ｇであり、景品Ｃの単位重量は４０ｇである。重量測定装置３２等の詳しい構造は後述する。
【００１７】
景品交換カウンター３０には、携帯端末装置５０が備えられている。携帯端末装置５０は、表示部５２と無線送受信部５４と操作部５６等を備えている。携帯端末装置５０は、簡単に持ち運べるほど小さいものである。携帯端末装置５０は、パチンコ店１０の従業員に所持される。携帯端末装置５０は、重量測定装置３２，３４，３６に信号を送信したり、重量測定装置３２，３４，３６から出力された情報を受信（入力）したりする。携帯端末装置５０は、景品交換カウンター３０にある景品を管理する（景品の種類毎に景品数を管理する）。携帯端末装置５０の制御系の構成については後述する。
またパチンコ店１０には、ホールコンピュータ４０が備えられている。ホールコンピュータ４０は、パチンコ店１０にある各種機器（パチンコ台１２、計数器１４、携帯端末装置５０等）の情報を統括的に管理している。
【００１８】
次に、重量測定装置３２，３４，３６の構造について詳しく説明する。各重量測定装置は同じ構造を有しているので、以下では重量測定装置３２の構造のみを説明する。図２は、重量測定装置３２の構成を簡単に示したものである。重量測定装置３２は、上部本体部材６０と下部本体部材６２と液体充填シート６８とピエゾ抵抗素子６４と制御部６６等から構成されている。上部本体部材６０には、景品が複数載置される（本実施例では景品Ａ）。下部本体部材６２は、中空の箱状部材であり、その上面の一部が上方に突出している。液体充填シート６８は、上部本体部材６０と下部本体部材６２との間に配置されている。液体充填シート６８の上面は上部本体部材６０に接触しており、下面は下部本体部材６２に接触している。下部本体部材６２の上面中央には、略円形の孔６２ａが設けられている。その孔６２ａには、ピエゾ抵抗素子６４が配置されている。ピエゾ抵抗素子６４の上部は、液体充填シート６８に接触している。ピエゾ抵抗素子６４の下方に、制御部６６が配置されている。
上部本体部材６０に景品Ａを載置すると、液体充填シート６８を介してピエゾ抵抗素子６４の上部に圧力が加わる。ピエゾ抵抗素子６４は、圧力が加えられると抵抗値が変化する。ピエゾ抵抗素子６４の抵抗値は制御部６６に入力される。制御部６６は、入力された抵抗値から載置されている複数の景品Ａの総重量を導き出すことができる。
【００１９】
図３は、重量測定装置３２の制御系の構成を簡単に示す。制御部６６は、増幅部７０と信号処理部７２と無線送受信部７４とＩＤ記憶部７６と重量変化履歴部７８と電源部８０を有している。図中の矢印は、各種信号のやりとりを表している。ピエゾ抵抗素子６４は、増幅部７０と接続されている。増幅部７０は、信号処理部７２と接続されている。信号処理部７２には、ＩＤ記憶部７６と重量変化履歴部７８と無線送受信部７４が接続されている。ＩＤ記憶部７６には、重量測定装置３２を特定するＩＤが記憶されている。この実施例の重量測定装置３２が記憶しているＩＤは、符号と同じ「３２」とする。
重量変化履歴部７８は、重量が大きく変化したときの時間やそのときの重量等を記憶している。このように記憶させることにより、景品が載置された時間や景品が取り除かれた時間等を後で分析することができる。例えば、ホールコンピュータ４０等に、遊技者に景品が渡されたときの時間やそのときの景品の種類や個数等が記憶されている場合に、その記憶内容と重量変化履歴部７８の記憶内容を比較することによって、遊技者に渡すために景品が取り除かれたのか、あるいは遊技者に渡す以外の理由（盗難等）で景品が取り除かれのかがわかる。景品が盗難されたことを特定できるとともに、その盗難されたときの時間を特定できる。
無線送受信部７４は、コイル状に形成されたアンテナを有している。そのアンテナを介して各種信号が送受信される。無線送受信部７４には、いわゆるＢｌｕｅｔｏｏｔｈモジュール（ワイヤレス通信モジュール）を利用することができる。電源部８０には、小型ボタン電池が使用されている。信号処理部７２とＩＤ記憶部７６と重量変化履歴部７８は、ワンチップ化されたマイコンにより構成されている。
【００２０】
ピエゾ抵抗素子６４における抵抗値は、増幅部７０を介して信号処理部７２に伝達されている。信号処理部７２には、ピエゾ抵抗素子６４における抵抗値が常時入力されている。信号処理部７２は、抵抗値から重量を導き出すことができる。この信号処理部７２には、抵抗値と重量との関係が対応づけられている。
無線送受信部７４は、携帯端末装置５０から出力された信号を受信する。無線送受信部７４で受信された信号は信号処理部７２に取り込まれる。信号処理部７２は、無線送受信部７４で信号が受信されると、その時点の重量をＩＤ（この場合は３２）に対応づけて無線送受信部７４から出力する。例えば重量１００ｇとＩＤ３２とを対応づけて出力する。出力された情報は、携帯端末装置５０で受信され、処理される。
【００２１】
次に、携帯端末装置５０の制御系の構成を説明する。図４は、携帯端末装置５０の制御系の概略構成図を示す。携帯端末装置５０は、無線送受信部５４と操作部５６と表示部５２と制御部１００等を備えている。無線送受信部５４は、各種信号を無線回線により送受信することができる。操作部５６は、パチンコ店１０の従業員等が景品数を確認するときに操作される。表示部５２では、景品の種類毎に景品数が表示される。制御部１００は、ＣＰＵ１０２とＲＯＭ１０４とＲＡＭ１０６とＩ／Ｏ１０８とを備えている。ＣＰＵ１０２、ＲＯＭ１０４、ＲＡＭ１０６は、回線１１０を介してＩ／Ｏ１０８と接続されている。ＣＰＵ１０２は、携帯端末装置５０の動作を統括的に管理する。
ＲＯＭ１０４は、各種プログラムを格納している。ＲＯＭ１０４に格納されるプログラムの中には、操作部５６の操作に基づいて重量測定装置３２等に信号を出力する処理や、表示部５２で各種情報を表示する処理等を実行するためのプログラムが含まれる。またＲＯＭ１０４には、重量測定装置３２等のＩＤに対応づけてその重量測定装置に載置される景品の種類（景品名）が記憶されている。この実施例の場合、ＩＤ３２に対応づけて景品Ａと記憶されている。さらにはＩＤ３４に対応づけて景品Ｂと記憶されており、ＩＤ３６に対応づけて景品Ｃと記憶されている。またＲＯＭ１０４には、重量測定装置３２等のＩＤに対応づけてその重量測定装置に載置される景品の単位重量（一つ当りの重量）が記憶されている。本実施例の場合、ＩＤ３２に対応づけて１０ｇと記憶されており、ＩＤ３４に対応づけて２５ｇと記憶されており、ＩＤ３６に対応づけて４０ｇと記憶されている。
ＲＡＭ１０６は、ワークメモリとして使用されるメイン記憶素子である。ＲＡＭ１０６は、出入力信号等を各種プログラムの実行に応じて格納する。またＲＡＭ１０６では、景品の種類毎に景品数が記憶される。
【００２２】
次に、上記構成を有する携帯端末装置５０の動作について説明する。パチンコ店１０の従業員は、景品交換カウンター３０にある景品数を把握するときに、重量測定装置３２等の近く（本実施例の場合は約２ｍの範囲）で携帯端末装置５０の操作部５６を操作する。携帯端末装置５０の制御部１００は、操作部５６が操作されたことを認識すると重量測定装置３２等に対して信号を出力する処理を実行する。これにより重量測定装置３２等からＩＤと重量が対応づけられた情報（ＩＤ−重量情報）が出力される。携帯端末装置５０は、重量測定装置３２等から出力されたＩＤ−重量情報を受信する。制御部１００は、受信されたＩＤからＲＯＭ１０４を検索し、景品の種類を特定する。例えばＩＤ３２を受信した場合には景品Ａと特定する。さらに制御部１００は、受信されたＩＤからＲＯＭ１０４を検索し、その景品の単位重量を特定する。例えばＩＤ３２を受信した場合には１０ｇと特定する。次に制御部１００は、受信された重量を特定された単位重量で除して景品数を算出する処理を実行する。例えばＩＤ３２と１００ｇが対応づけられた情報が受信されたとすると、景品数が１０個（１００÷１０）と算出される。制御部１００は、特定された景品の種類と算出された景品数をＲＡＭ１０６で記憶する。このときＲＡＭ１０６に予め記憶されていた情報をクリアして記憶する（即ち情報を書換える）。次に制御部１００は、ＲＡＭ１０６の記憶内容を表示部５２で表示する処理を実行する。具体的には、景品Ａの個数、景品Ｂの個数、景品Ｃの個数を並べて表示する。
【００２３】
景品交換カウンター３０における景品を管理する者は、携帯端末装置５０で表示された情報を見ることによって、景品の過不足を知ることができる。例えば景品Ａが残り少ない場合には、景品Ａを納入するように指示できる。景品の過不足に対して迅速に対応することができる。
【００２４】
携帯端末装置５０は、ＲＡＭ１０６の記憶内容をホールコンピュータ４０に出力することができる。ここでの情報出力も無線により実行される。ホールコンピュータ４０は、携帯端末装置５２から出力された情報を入力し、データベースで記憶する。
【００２５】
第１実施例に係る重量測定装置３２等は、ＩＤと重量とを対応づけた情報を出力する。携帯端末装置５０では、景品交換カウンター３０にある景品数が景品の種類毎に管理される。このパチンコ店１０では、景品の種類毎に景品数を容易に管理することができる。
この実施例では、重量測定装置３２等から出力された情報により景品数が管理されている。重量測定装置３２から出力された情報は、他にも様々な状況で利用することができる。例えばパチンコ店１０に、景品交換カウンターがもう一つあるとする（実施例の景品交換カウンター３０をＸとし、他の景品交換カウンターをＹとする）。この場合、携帯端末装置５０に重量測定装置３２等のＩＤと重量測定装置３２等が配置される景品交換カウンター（Ｘ又はＹ）とを対応づけて記憶しておく。このようにすると、いずれの景品交換カウンターに、どの景品がどれだけあるかを把握することができる。第１実施例に係る重量測定装置３２等は、幅広く用いられることができ、利用価値が高い。
【００２６】
（第２実施例）次に、本発明の第２実施例について説明する。この第２実施例では、第１実施例と同様の部分については説明を省略し、異なる部分を中心に説明する。第２実施例は、重量測定装置の構造が第１実施例と異なる。
図５は、第２実施例に係る重量測定装置の構造を示す。重量測定装置１５０は、第１実施例の重量測定装置が２つ組み合わさって構成されている。以下では、左の重量測定装置を第１重量測定部１５２といい、右の重量測定装置を第２重量測定部１５４という。重量測定装置１５０は、２つの重量測定部１５２，１５４と景品載置台１７０とから構成されている。第１重量測定部１５２は、第１実施例の重量測定装置と同じ構造を有している。即ち、上部本体部材１６６と下部本体部材１６４と液体充填シート１７２とピエゾ抵抗素子１６２と制御部１６０等を備えている。第２重量測定部１５４も同じ構造を有している。第１重量測定部１５２と第２重量測定部１５４には、それぞれ異なるＩＤが記憶されている。本実施例では、重量測定部１５２で記憶されているＩＤを「１５２」とし、重量測定部１５４で記憶されているＩＤを「１５４」とする。
２つの重量測定部１５２，１５４の上部本体部材１６６，１６８には、景品載置台１７０が固定されている。景品載置台１７０には、景品Ａのみが複数載置される。景品交換カウンター３０には、重量測定装置１５０と同じ重量測定装置が複数配置されている（この様子は図示省略する）。各重量測定装置には、同一種類の景品が複数載置される。即ち、重量測定装置１５０には景品Ａのみが載置され、他の重量測定装置には他の景品（例えば景品Ｂ）のみが載置される。
【００２７】
本実施例の携帯端末装置５０は、重量測定部のＩＤに対応づけて景品の種類（景品名）を記憶している。また携帯端末装置５０は、重量測定部のＩＤに対応づけて景品の単位重量を記憶している。例えば重量測定装置１５０には景品Ａが載置されるので、ＩＤ１５２とＩＤ１５４のどちらにも景品Ａを対応づけて記憶している。またＩＤ１５２とＩＤ１５４のどちらにも景品Ａの単位重量１０ｇを対応づけて記憶している。
携帯端末装置５０は、各重量測定部から出力されたＩＤ−重量情報を入力し、入力された情報から重量測定装置に載置されている景品数を算出する。例えば第１重量測定部１５２から「ＩＤ１５２−重量５５ｇ」という情報が出力され、第２重量測定部１５４から「ＩＤ１５４−重量５５ｇ」という情報が出力されたとする（２つの重量測定部１５２，１５４ではそれぞれ同じ重量が測定される）。携帯端末装置５０は、入力されたＩＤ１５２から景品Ａが５．５個（５５÷１０）載置されていると認識し、入力されたＩＤ１５４から景品Ａが５．５個（５５÷１０）載置されていると認識する。これにより携帯端末装置５０は、景品Ａが１１個載置されていると認識する。
【００２８】
重量測定装置を上記のように２つの重量測定部で構成すると、より重い重量を測定することができるようになる（２倍の測定範囲になる）。このため、多くの景品を載置できるようになる。
【００２９】
上記第２実施例では、２つの重量測定部１５２，１５４が異なるＩＤを記憶していたが、同じＩＤを記憶しても良い（例えばＩＤＸＸＸを記憶しているとする）。この場合、携帯端末装置５０では、ＩＤＸＸＸに対応づけて景品Ａとその単位重量を記憶しておく。このようにしても景品が何個載置されているかを特定することができる。
なお、重量測定部が３つ以上組み合わさって一つの重量測定装置が構成されても良い。
【００３０】
（第３実施例）次に、本発明の第３実施例について説明する。この第３実施例では、上記各実施例と同様の部分については説明を省略し、異なる部分を中心に説明する。図６は、第３実施例に係る重量測定装置の概略構成図を示す。重量測定装置２００の下部本体部材２０２には、一つの制御部２１４と２つのピエゾ抵抗素子２１６，２１８が収納されている。下部本体部材２０２の上面には、２つの孔２０２ａ，２０２ｂが設けられている。２つの孔２０２ａ，２０２ｂには、ピエゾ抵抗素子２１６，２１８がそれぞれ配置されている。制御部２１４は、２つのピエゾ抵抗素子２１６，２１８における抵抗値をそれぞれ入力しており、入力された抵抗値から載置されている景品の重量を導き出す。
下部本体部材２０２の孔２０２ａ，２０２ｂを覆うようにして２つの液体充填シート２１０，２１２が配置されている。各液体充填シート２１０，２１２の上方には、上部本体部材２０４，２０６が配置されている。それぞれの液体充填シート２１０，２１２の上部は、上部本体部材２０４，２０６に接触している。液体充填シート２１０，２１２の下部は、下部本体部材２０２と接触している。ピエゾ抵抗素子２１６，２１８の上部は、液体充填シート２１０，２１２にそれぞれ接触している。２つの上部本体部材２０４，２０６の上部には、景品載置台２０８が固定されている。
【００３１】
景品交換カウンター３０には、重量測定装置２００と同じ重量測定装置が複数配置されている。重量測定装置２００には景品Ａのみが複数載置され、その他の重量測定装置には他の景品（例えば景品Ｂ）が複数載置される。
重量測定装置２００は、携帯端末装置５０から出力された信号を受信すると、そのときに測定されている重量とＩＤ（この例では２００）とを対応づけて出力する。携帯端末装置５０は、重量測定装置２００から出力された情報を入力して、景品の種類とその景品数を特定する。
【００３２】
第３実施例に係る重量測定装置２００を用いても、景品の種類毎に景品数を管理することができる。この重量測定装置２００は、ピエゾ抵抗素子を２つ用いて重量を測定するようにしている。このために、より重い重量を測定することができるようになっており、景品を多く載置できる。
【００３３】
（第４実施例）上記各実施例では、携帯端末装置５０で景品数が管理されている。即ち携帯端末装置５０が、各重量測定装置から出力された情報に基づいて景品の種類毎に景品数を算出し、表示している。しかしながら次のようにしても良い。携帯端末装置５０は、重量測定装置から出力された情報を入力し、その入力された情報をホールコンピュータ４０に転送する機能を有する。ホールコンピュータ４０は、重量測定装置のＩＤと景品名を対応づけて記憶しており、さらには重量測定装置のＩＤに対応づけて単位重量も記憶している。ホールコンピュータ４０は、携帯端末装置５０から転送されてきた情報にもとづいて、景品の種類毎に景品数を算出する。算出された景品数は、景品の種類と対応づけて記憶される。さらにホールコンピュータ４０は、景品の種類毎に景品数を表示することができる。
景品数を管理する者は、ホールコンピュータ４０の表示を見ることで、景品カウンター内にある景品の過不足を把握できる。
【００３４】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
例えば第１実施例の景品数計測システム２０は、以下のように変形することができる。第１実施例では、重量測定装置３２に景品Ａが載置され、重量測定装置３４に景品Ｂが載置され、重量測定装置３６に景品Ｃが載置されている。しかしながら、重量測定装置３２と重量測定装置３４に景品Ａを載置し、重量測定装置３６に景品Ｂを載置するようにする。この場合、携帯端末装置５０には、ＩＤ３２とＩＤ３４に対応づけて景品Ａを記憶させておき、ＩＤ３６に対応づけて景品Ｂを記憶させておく。さらにＩＤ３２とＩＤ３４に対応づけて１０ｇ（景品Ａの単位重量）を記憶させておき、ＩＤ３６に対応づけて２５ｇ（景品Ｂの単位重量）を記憶させておく。携帯端末装置５０は、重量測定装置３２から出力されたＩＤ−重量情報から重量測定装置３２に載置されている景品Ａの数を導き出す。また重量測定装置３４から出力されたＩＤ−重量情報から重量測定装置３４に載置されている景品Ａの数を導き出す。携帯端末装置５０は、導き出された２つの数を加算して、景品交換カウンター３０にある景品Ａの総数を求める。このような形態によっても景品の種類毎に景品数を管理することができる。
【００３５】
また上記各実施例では、重量測定装置３２等が重量をグラムで導き出して出力している。これは以下のように変更しても良い。重量測定装置３２等は、所定数の景品が載置されているときの重量（以下では基準重量という）を記憶しておく（例えば５００ｇとする）。重量測定装置３２等は、携帯端末装置５０から出力された信号を受信すると、そのとき測定された重量を基準重量との比率に換算して出力する。例えば測定された重量が４５０ｇであれば０．９（４５０÷５００）を出力する。携帯端末装置５０では、基準重量が測定されたときの景品数（上記の所定数）を記憶しておくようにする。携帯端末装置５０は、重量測定装置３２等から出力された比率を用いて景品数を求めることができる。
各重量測定装置は、同じ重量の物体が載置されたとしても誤差により同じ重量を測定しない場合がある。上述のように比率で出力するようにすると、重量測定装置間の誤差に関係なく、載置されている景品数を正確に算出することができる。
【００３６】
また、本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうちの一つの目的を達成すること自体で技術的有用性を持つものである。
【図面の簡単な説明】
【図１】  景品数計測システムの概略図。
【図２】  第１実施例に係る重量測定装置の概略構成図。
【図３】  重量測定装置の制御系の構成を示す図。
【図４】  携帯端末装置の制御系の構成を示す図。
【図５】  第２実施例に係る重量測定装置の概略構成図。
【図６】  第３実施例に係る重量測定装置の概略構成図。
【符号の説明】
１２・・遊技台
１４・・計数器
２０・・景品数計測システム
３０・・景品交換カウンター
３２・・重量測定装置
３４・・重量測定装置
３６・・重量測定装置
４０・・ホールコンピュータ
５０・・携帯端末装置
【図１】
0004140693.tif 000002
【図２】
0004140693.tif 000003
【図３】
0004140693.tif 000004
【図４】
0004140693.tif 000005
【図５】
0004140693.tif 000006
【図６】
0004140693.tif 000007